(57)【要約】　　　（修正有）【課題】使用に便利で衛生的な塵取りの提供。【解決手段】使用に便利で、塵取り内に収集した毛、塵、砂或いは汚物を密閉できる塵取りにおいて、簡単快速にハンドル２の押し下げにより押圧作用により蓋８を両側の枢設点を中心に回転させて開閉させることができるようにした。【選択図】　　　　図３
0003097767.tif 000002
【実用新案登録請求の範囲】
【請求項１】
ハンドル嵌め蓋、ハンドル、張力バネ、釈放キー、外ロッド、内スライドロッド、塵取り本体、蓋及び押圧手段を具え、
該ハンドル嵌め蓋は側部に設けられた嵌め耳片によりハンドルの上縁内に嵌止めされ、該ハンドル嵌め蓋の底部外縁に設けられたパッキンリングと内部に設けられた係止柱により、強固に内スライドロッドの上端孔に係止され、ハンドルと内スライドロッドが嵌挿され連動する構造体を形成させ、
該ハンドルは、上端がハンドル嵌め蓋により閉じられ、内部に圧接片が設けられて、外ロッドの上端に限定され、外ロッドとハンドルが制限され且つ脱出不能な状態を形成し、このほか、ハンドルの側部に別にキー溝が設けられて釈放キーの取り付けに供され、
該張力バネはハンドルと外ロッドの間に設けられ、バネの作用により、ハンドルに外ロッドに対する上下の往復と有効長さのスライド動作を行わせ、
該釈放キーは、枢設方式でハンドルのキー溝内に取り付けられ、バネ及び位置決めピンによりハンドルが終点までスライドした時に、速やかに外ロッドの位置決め孔内に位置決めさせ、
該外ロッドは、上端部がハンドル内に制限され、底端が係止溝を以て塵取り本体の嵌止溝に挿入固定され、このほか、底端外側に適当な長さの条状溝が開設され、釈放キーに対応する位置に別に位置決め孔が開設され、外ロッドの中空内部に内スライドロッドが挿入され、
該内スライドロッドは、外ロッドの中空内部に置かれ、その上端孔がハンドル嵌め蓋によりパッキンリング及び係止柱により強固に係止され、ハンドルと内スライドロッドが嵌挿連動の構造体を形成し、
塵取り本体は嵌止溝により外ロッドと挿嵌結合され、その内部両側壁に形成された枢設孔に蓋の両側の枢軸が枢設され、
蓋は前円弧状の蓋片とされ、両側より枢軸が延伸されて塵取り本体の両側内側壁に設けられた枢設孔内に枢設され、蓋の後方中心に押圧手段が固定され、
押圧手段は蓋の後方中心部分に固定され、押圧手段の受圧部が外ロッドに開設された条状溝より進入した後にちょうどその内部の内スライドロッドの最底縁に対応し、
以上を特徴とする、塵取り。
【請求項２】
請求項１記載の塵取りにおいて、押圧手段が歯車及びラックの噛み合いにより完全連動の機能を形成するものとされ、歯車部分の位置決め装置が蓋に異なる角度の開放と位置決め状態を形成させることを特徴とする、塵取り。
【請求項３】
請求項１記載の塵取りにおいて、蓋と透明材質で形成されるか或いは透明模様を有しこれにより外部より内部のゴミの有無を確認できるほか、塵取りの多様性を増加したことを特徴とする、塵取り。
【考案の詳細な説明】
【０００１】
【考案の属する技術分野】
本考案は一種の塵取りに関する。
【０００２】
【従来の技術】
早期の農業社会に使用される塵取りの大部分は竹を編んで成り、そのような塵取りは直立する柄がなく、ゆえに使用時は塵取りでゴミ或いは汚物をすくうように収集しなければならない。
【０００３】
今日に至り、工業が発達進歩し、プラスチック製の各種の塵取りが出現したが、いずれも塵取り本体と柄の二つの部分を有する単純なもので、多くはハンドルを具えており、相当に便利で実用的である。現在周知の固定形式の塵取りは、開放式の塵取り本体であるため、軟質の毛、塵、砂等の細小なゴミに対しては、塵取りを移動すると毛が飛び散ったり風で吹き飛ばされる欠点があり、また塵取りの水平度が不正確であると、内部のゴミが脱出してしまう。もし、塵取りを屋外、庭園に放置すると、内部の生ゴミに蚊やハエがたかり、野良犬や野良猫が集まり、極めて衛生上及び安全上の問題を発生する。
【０００４】
特許文献１には重力偏心原理を利用し、塵取りと柄の間の重力偏心作用により、塵取りを持ち上げる時、自然に後ろに回転する作用を発生する構造が記載されている。その主要な目的は、塵取り内のゴミが保持水平度の不正確により脱出するのを防止することにある。これは蚊やハエが集まるのを防止すること、及び蓋の外観、及びゴミの異臭を防止することに対しては配慮がなく、最も重要な設計の出発点において本考案とは異なるものである。
【０００５】
【特許文献１】
台湾実用新案公告第２２４２３３号明細書
【０００６】
【考案が解決しようとする課題】
本考案は一種の塵取りを提供することを課題とし、それは、衛生上の安全性を具え、蓋の設計が、異臭或いは汚物を密封するほか、軽量の毛や塵、砂等のゴミが風に吹き飛ばされるのを防止できるものとされた塵取りであるものとする。
【０００７】
本考案はまた一種の塵取りを提供することを課題とし、それは、塵取りの既存の機能を破壊或いは改変することなく、また、操作及び使用上、単一動作で完成し、簡単及び快速の要求に符合し、実用性と進歩性を高めた塵取りであるものとする。
【０００８】
【課題を解決するための手段】
請求項１の考案は、ハンドル嵌め蓋、ハンドル、張力バネ、釈放キー、外ロッド、内スライドロッド、塵取り本体、蓋及び押圧手段を具え、
該ハンドル嵌め蓋は側部に設けられた嵌め耳片によりハンドルの上縁内に嵌止めされ、該ハンドル嵌め蓋の底部外縁に設けられたパッキンリングと内部に設けられた係止柱により、強固に内スライドロッドの上端孔に係止され、ハンドルと内スライドロッドが嵌挿され連動する構造体を形成させ、
該ハンドルは、上端がハンドル嵌め蓋により閉じられ、内部に圧接片が設けられて、外ロッドの上端に限定され、外ロッドとハンドルが制限され且つ脱出不能な状態を形成し、このほか、ハンドルの側部に別にキー溝が設けられて釈放キーの取り付けに供され、
該張力バネはハンドルと外ロッドの間に設けられ、バネの作用により、ハンドルに外ロッドに対する上下の往復と有効長さのスライド動作を行わせ、
該釈放キーは、枢設方式でハンドルのキー溝内に取り付けられ、バネ及び位置決めピンによりハンドルが終点までスライドした時に、速やかに外ロッドの位置決め孔内に位置決めさせ、
該外ロッドは、上端部がハンドル内に制限され、底端が係止溝を以て塵取り本体の嵌止溝に挿入固定され、このほか、底端外側に適当な長さの条状溝が開設され、釈放キーに対応する位置に別に位置決め孔が開設され、外ロッドの中空内部に内スライドロッドが挿入され、
該内スライドロッドは、外ロッドの中空内部に置かれ、その上端孔がハンドル嵌め蓋によりパッキンリング及び係止柱により強固に係止され、ハンドルと内スライドロッドが嵌挿連動の構造体を形成し、
塵取り本体は嵌止溝により外ロッドと挿嵌結合され、その内部両側壁に形成された枢設孔に蓋の両側の枢軸が枢設され、
蓋は前円弧状の蓋片とされ、両側より枢軸が延伸されて塵取り本体の両側内側壁に設けられた枢設孔内に枢設され、蓋の後方中心に押圧手段が固定され、
押圧手段は蓋の後方中心部分に固定され、押圧手段の受圧部が外ロッドに開設された条状溝より進入した後にちょうどその内部の内スライドロッドの最底縁に対応し、
以上を特徴とする、塵取りとしている。
請求項２の考案は、請求項１記載の塵取りにおいて、押圧手段が歯車及びラックの噛み合いにより完全連動の機能を形成するものとされ、歯車部分の位置決め装置が蓋に異なる角度の開放と位置決め状態を形成させることを特徴とする、塵取りとしている。
請求項３の考案は、請求項１記載の塵取りにおいて、蓋と透明材質で形成されるか或いは透明模様を有しこれにより外部より内部のゴミの有無を確認できるほか、塵取りの多様性を増加したことを特徴とする、塵取りとしている。
【０００９】
【考案の実施の形態】
本考案はハンドル嵌め蓋、ハンドル、張力バネ、釈放キー、外ロッド、内スライドロッド、塵取り本体、蓋及び押圧手段で組成されている。内スライドロッドは外ロッドの内部に置かれ、上端のハンドル嵌め蓋がハンドルを透過して嵌合係止され、内スライドロッドとハンドルが連動式の動作を形成するものとされ、ハンドルと外ロッドの間に別に張力バネが套設され、並びに張力バネの弾力作用により前述の内スライドロッドとハンドルが弾力特性を有する連動を形成する。
【００１０】
外ロッドの上端に縁部が設けられ、並びにハンドル内部の圧接片に圧接し、ゆえに外ロッドとハンドルが制限されて脱出せず、さらにその内部に設置された張力バネの作用により、ハンドルが外ロッドに対して上下に有効長さのスライド動作を行ない、この動作により内スライドロッドの外ロッド内での有効長さの上下往復スライド動作が駆動される。前述の外ロッドの底端が塵取り本体に挿嵌方式で組み合わされ、並びに外ロッド底端外側に条状溝が設けられ、対応位置の蓋が塵取り本体両側の内側に枢設され、並びに底面中央部分に押圧手段が固定され、該押圧手段が外ロッドに開設された条状溝より進入してその内部に内スライドロッドの最底縁に対応し接合される。
【００１１】
本考案の操作方式は以下のとおりである。それはハンドルの単一の押し下げ動作により塵取りの蓋を快速開放できる。ハンドルが圧力を受けて下に移動すると、その内部の内スライドロッドが蓋の押圧手段に圧着し、この押圧手段が力を受けて蓋が自然に枢設点を中心として回転開放動作を形成する。この時、蓋が前部開放され且つハンドルの下への移動が終点に達すると、ハンドルは側向に設けられた釈放キーにより位置決めされ、蓋が全開放の位置決め状態を呈する。反対に、釈放キーが押された後、ハンドルはバネの作用を受けて自動的に上昇し、蓋が圧力より開放されて自動的に閉合し、快速で簡易な操作が完成する。
【００１２】
本考案によると、押圧手段が歯車とラックの噛み合わせにより伝動し、完全連動の機能を形成し、また歯車部分の位置決め装置により、蓋が異なる角度で開放されて位置決めされ、即ち蓋が異なる角度の開放と位置決め状態を呈し、これにより高度の使用機能と良好で新規な付加価値を具備するものとされる。
【００１３】
以上に述べたように、本考案の提供する塵取りは、従来の製品よりも優れた使用上の進歩性、及び新規性を具備し、また衛生上の安全性を追求した塵取りである。
【００１４】
【実施例】
図１に示されるように、本考案の全体の形態の外観と周知の塵取りは類似しているが、本考案によると、塵取り１０に開閉可能な蓋８が設けられて、内部に掃き取られたゴミを密閉することができる。
【００１５】
全体の構造は、ハンドル嵌め蓋１、ハンドル２、張力バネ３、釈放キー４、外ロッド５、内スライドロッド６、塵取り本体７、蓋８及び押圧手段９を具えている。そのうち、ハンドル嵌め蓋１は側部に設けられた嵌め耳片１１によりハンドル２の上縁内に嵌止めされる。また、該ハンドル嵌め蓋１の底部外縁に設けられたパッキンリング１２と内部に設けられた係止柱１３により、強固に内スライドロッド６の上端孔１３に係止され、ハンドル２と内スライドロッド６が嵌挿され連動する構造体を形成する。
【００１６】
前述の内スライドロッド６は中空の外ロッド５の内部にスライド可能に置かれ、該内スライドロッド６はハンドル嵌め蓋１がハンドル２と形成する嵌挿連動の関係により、ハンドル２の施す上下往復移動により外ロッド５の内にスライドして嵌合し、有効且つ適当な長さを移動する。次に、外ロッド５の端縁に縁部５１が設けられ、該縁部５１はハンドル２内部に設けられた圧接片２１に圧接し、外ロッド５とハンドル２が、制限され且つ脱出不能な状態を形成する。このほか、ハンドル２と外ロッド５の間に別に張力バネ３が設けられ、この張力バネ３の弾力作用下で、ハンドル２が外ロッド５において、上下往復と有効長さのスライド動作を行ない、このスライド動作により内スライドロッド６が連動する。これは図３に示されるとおりである。
【００１７】
ハンドル２の外ロッド５に対するスライド動作には別に釈放キー４が組み合わされる。そのうち、外ロッド５のハンドル２スライドの終点位置に対応する位置に、位置決め孔５０が開設され、釈放キー４がハンドル２に設けられたキー溝２２内に枢設される。バネ４１の具備する張力により、ハンドル２が最後の終点位置にスライドする時、釈放キー４の位置決めピン４２が位置決め孔５０内に進入し、弾力自動嵌入位置決め機能が形成される。
【００１８】
図２と図３を併せて参照されたい。前述の外ロッド５の底端は係止溝４２が設けられて塵取り本体７に設けられた嵌止溝７１と挿嵌され、これにより基本の塵取りの態様構造が形成される。該外ロッド５の底端外側に、別に適当な長さの条状溝５３が開設され、相対位置の蓋８に押圧手段９が固定され、並びに該押圧手段９の受圧部９１がこの外ロッド５に開設された条状溝５３より進入した後、ちょうどその内部の内スライドロッド６の最底縁に対応する。
【００１９】
装置の蓋８は塵取り本体７の形態に合わせて前円弧状の蓋片とされ、両側よりそれぞれ枢軸８１が延伸されて、回転可能に塵取り本体７の内両側壁に形成された枢設孔７２内に枢設される。こうして、蓋８が枢設中心により回転動作を形成する。この動作は蓋８の後方中心の押圧手段９が押圧されてはじめて達成される。
【００２０】
操作方式は、ハンドル２を押圧し並びにスライドさせる単一動作により完成し、構造原理は、ハンドル２が押圧されて下に移動する時、その内部の内スライドロッド６が蓋の押圧手段９に圧接し、押圧手段９が押圧されて、その蓋８が自然に枢設点を中心として回転開放動作を形成する、というものである。このとき、もし蓋８が全部開放状とされ且つハンドル２が終点まで下に移動すると、ハンドルは側部に設けられた釈放キー４により位置決めされ、蓋が全開放の位置決め状態とされる。反対に、釈放キー４が押圧されると、ハンドル２がバネ３の作用により自動的に上昇し、蓋８に対する押圧が解除され、これにより自動的に蓋が閉合し、こうして快速で簡易な操作機能が達成される。これは図５に示されるとおりである。
【００２１】
図４に示されるように、最後に本考案の設計理念中、押圧手段９は歯車９Ａ及びラック９Ｂの噛み合いにより完全連動の機能を形成するものとされうる。歯車部分の位置決め装置９Ｃは蓋８に異なる角度の開放と位置決め状態を形成させ、これにより高度の使用機能と良好な新規な付加価値が付与される。
【００２２】
【考案の効果】
本考案の塵取りは、開閉式の蓋が設けられた構造とされ、この構造の簡易で快速な操作機能により、新規性と衛生安全上の価値の二つの長所を達成している。これにより本考案は従来の技術と比較すると大きく異なる実用性と進歩性を具備している。その優れた機能は以下のとおりである。
１．本考案の開閉式の蓋は、収集するゴミを密閉し、ゆえに塵取り内の毛や塵が吹き飛ばされる問題を防止し、さらに蓋の隔離により外観が悪くなったり異臭が発生するのを防止する。また、蚊やハエ、野良犬、野良猫等に対しても、それらが集まったりゴミを散らかすのを防止し、真の衛生安全の要求を達成する。
２．本考案の設計の操作機能は、塵取りの基本の使用形態を変更しない前提下で、ハンドルを一度押圧する動作により蓋を自動開放させられ、釈放キーを押せば蓋を閉じることができ、この操作方式により簡単で、快速及び実用的な操作を達成している。
３．本考案は内スライドロッドが套設手段に対して押圧動作を行ない、蓋を回転させ開放させる機能を達成する。この二つの部品は、内蔵方式で塵取り内に設置され、この二つの部品の操作上の安全性が考慮されているほか、保護作用を有して使用寿命を延長する。
４．本考案の塵取りの設計の操作機能は、単一のハンドル押圧動作（適当な長さ距離）によるが、ハンドルが終点に至らない時、釈放キーを押圧しなくとも、蓋が使用者の必要に応じて開放度を調整でき、その後、蓋がハンドル回復後に自然にその重力作用により閉合し、こうして操作上、更に快速で簡便な効果を達成している。
５．本考案の塵取りの設計の蓋は、透明材質或いは透明模様（小熊模様、漫画のキャラクター造形等）を具えた蓋体とされ、これによりその内部にゴミがあるか否かをチェックでき、また、塵取りの多様性を増加し、その付加価値を増加する。
【図面の簡単な説明】
【図１】本考案の実施例の外観図である（閉合状態）。
【図２】本考案の各部の部品の分解斜視図である。
【図３】本考案の全体断面構造と操作動作表示図である。
【図４】本考案の押圧手段連動関係のもう一つの実施例構造図である。
【図５】本考案の実施例の操作動作表示図である。
【符号の説明】
１０　塵取り本体
１　ハンドル嵌め蓋
１１　嵌め耳片
１２　パッキンリング
１３　係止柱
２　ハンドル
２１　圧接片
２２　キー溝
３　張力バネ
４　釈放キー
４１　バネ
４２　位置決めピン
５　外ロッド
５０　位置決め孔
５１　縁部
５２　突起溝
５３　条溝
６　内スライドロッド
６１　上端孔
７　塵取り本体
７１　嵌止溝
７２　枢設孔
８　蓋
８１　枢軸
９　押圧手段
９１　受圧部
９Ａ　歯車
９Ｂ　ラック
９Ｃ　位置決め装置
【図１】
0003097767.tif 000003
【図２】
0003097767.tif 000004
【図３】
0003097767.tif 000005
【図４】
0003097767.tif 000006
【図５】
0003097767.tif 000007